(57)【要約】【課題】コストアップを招くことなく組付作業性に優れた分割式ブーツの構造を提供する。【解決手段】蛇腹状のブーツ本体２のうち一方の分割端面５ａに凸状部７を、他方の分割端面５ｂに凹溝部８を形成して、両者を凹凸嵌合させながら分割端面５ａ，５ｂ同士を突き合わせて接着接合する。凹溝部８のうち蛇腹の山部（頂部）相当部では底部側を開放して貫通穴１１とし、その貫通穴１１から凸状部７の一部を外部に突出させ、速乾性のある接着剤Ｓで接着固定する。同時に、凸状部７に形成した係止突起１３を貫通穴１１の開口縁部に引っ掛ける。さらに凸状部７の一部に形成した切欠部７を相手側の補強柱部と凹凸嵌合させて相対位置決めを行う。【選択図】　図１
2004028166.tif 000002
【特許請求の範囲】
【請求項１】
可撓性材料により形成された蛇腹状のブーツ本体を軸心方向に延びる単一の分割面をもって分割し、その分割面を形成することになる双方の分割端面同士を突き合わせて接着接合するようにした分割式ブーツの構造であって、
一方の分割端面に凸状部を、他方の分割端面には凸状部と嵌合する凹溝部を長手方向に沿ってそれぞれに設けるとともに、
上記凹溝部の複数箇所にはブーツ本体の外表面側に開口する貫通穴を設け、
上記凸状部のうち貫通穴に臨む部分をブーツ本体の外表面にて固定するようにしたことを特徴とする分割式ブーツ。
【請求項２】
上記凸状部の表面および凹溝部の内周面のうちいずれか一方にはリブを、他方にはそのリブと嵌合する溝をそれぞれ設けたことを特徴とする請求項１に記載の分割式ブーツ。
【請求項３】
上記貫通穴から突出する凸状部の表面に、貫通穴の開口縁部に引っ掛かる係止部を設けたことを特徴とする請求項１または２に記載の分割式ブーツ。
【請求項４】
凹溝部の複数箇所には局部的にその溝深さを小さくするような補強柱部を設けるとともに、凸状部側には補強柱部と噛み合う切欠部を設けたことを特徴とする請求項１〜３のいすれかに記載の分割式ブーツ。
【請求項５】
上記凸状部のうち貫通穴に臨む部分をブーツ本体の外表面に対して接着剤にて固定するようにしたことを特徴とする請求項１〜４のいずれかに記載の分割式ブーツ。
【請求項６】
上記凸状部のうち貫通穴に臨む部分をブーツ本体の外表面に対して両面接着テープもしくは面ファスナーにて固定するようにしたことを特徴とする請求項１〜４のいずれかに記載の分割式ブーツ。
【発明の詳細な説明】
【０００１】
【発明の属する技術分野】
本発明は、気密性，液密性の確保や防塵を目的として使用される蛇腹状のブーツの構造に関し、特に自動車のドライブシャフトの等速ジョイント部においてその軸直角方向から包み込むようにして装着できるようにしたいわゆる分割式のブーツの構造に関する。
【０００２】
【従来の技術】
この種の従来のブーツ構造としては例えば特開昭６２−１３８２４号公報に記載されているように、長手方向に切断した蛇腹状のブーツ本体の一方の切断面に接着テープを貼着して、この接着テープをもって他方の切断面と接着接合する一方、切断面同士をブーツ本体の断面形状に倣って圧着保持するために断面略波形状をなす一対のクランプ板とクリップとからなるクランプ装置を付帯させたものがある。
【０００３】
【発明が解決しようとする課題】
このような従来の構造では、接着テープによる接合を基本としたものであるから、接合強度および耐久性の面で必ずしも十分でない。また、双方の切断面は蛇腹状のブーツ本体の断面形状に沿って設定されたものであるから、その全長において双方の切断面同士を均等に圧着させることが困難であると同時に切断面同士の間に位置ずれが生じやすく、さらには取付作業性もきわめて悪いものとならざるを得ない。その上、上記の取付作業性改善のために別部品として専用のクランプ装置を付帯させる必要があることから、コストアップが余儀なくされることとなって好ましくない。
【０００４】
また、接着剤を硬化時間の短い速乾性のものに代えることによりクランプ装置を廃止することも考えられるが、その場合には取付作業途中で接着剤が硬化してしまい取付作業ができないという問題が発生する。
【０００５】
本発明は以上のような課題に着目してなされたものであり、とりわけ切断面（分割端面）同士の相対位置決め精度の向上を図りながらその取付作業性を改善した分割式ブーツの構造を提供するものである。
【０００６】
【課題を解決するための手段】
請求項１に記載の発明は、可撓性材料により形成された蛇腹状のブーツ本体を軸心方向に延びる単一の分割面をもって分割し、その分割面を形成することになる双方の分割端面同士を突き合わせて接着接合するようにした分割式ブーツの構造であって、一方の分割端面に凸状部を、他方の分割端面には凸状部と嵌合する凹溝部を長手方向に沿ってそれぞれに設けるとともに、上記凹溝部の複数箇所にはブーツ本体の外表面側に開口する貫通穴を設け、上記凸状部のうち貫通穴に臨む部分をブーツ本体の外表面にて固定するようにしたことを特徴とする。
【０００７】
したがって、この請求項１に記載の発明では、双方の分割端面同士を突き合わせる際には少なくともいずれか一方の分割端面に予め接着剤を塗布するものとし、これにより凹凸嵌合のかたちとなる分割端面同士の突き合わせ面での接着面積の拡大化が図れるようになる。そして、この接着剤の硬化にある程度の時間を要することから、凸状部のうち貫通穴に臨む部分をブーツ本体の外表面にて固定することで、接着剤が硬化するまでのいわゆる仮止め効果が発揮される。
【０００８】
上記凸状部のうち貫通穴に臨む部分をブーツ本体の外表面に固定する手段としては、請求項５に記載のように接着剤を用いるか、もしくは請求項６に記載のように両面接着テープもしくは面ファスナーを用いるものとする。この場合、請求項５に記載のように凸状部のうち貫通穴に臨む部分をブーツ本体の外表面に固定する手段として接着剤を用いるときには、分割端面同士の接着接合に用いる接着剤よりも硬化時間の短いいわゆる瞬間接着剤等の速乾性のある接着剤を用いることがその機能よりして望ましい。
【０００９】
また、請求項２に記載のように、上記凸状部の表面および凹溝部の内周面のうちいずれか一方にはリブを、他方にはそのリブと嵌合する溝をそれぞれ設けたり、あるいは請求項３に記載のように、上記貫通穴から突出する凸状部の表面に、貫通穴の開口縁部に引っ掛かる係止部を設けると、同様にして仮止め効果が発揮されることとなってより好ましい。
【００１０】
さらに、請求項４に記載のように、凹溝部の複数箇所には局部的にその溝深さを小さくするような補強柱部を設けるとともに、凸状部側には補強柱部と噛み合う切欠部を設けると、長手方向での相対位置決め効果が発揮されて、特に分割端面同士の突き合わせ面における長手方向での位置ずれ防止の上で有利となる。
【００１１】
【発明の効果】
請求項１に記載の発明によれば、双方の分割端面同士をいわゆる凹凸嵌合のかたちで突き合わせた上で、凸状部のうち貫通穴に臨む部分をブーツ本体の外表面にて固定する構造としたので、その固定保持力のために分割端面同士の突き合わせ状態を正確に維持することができ、分割端面同士の位置ずれを未然に防止しつつその組付作業性が良好なものとなる。さらに、ブーツ本体の外表面での固定状態を目視確認することができるので、固定状態の信頼性も高いものとなる。その上、従来のように別部品であるクランプ装置を付帯させる必要もないので、コストダウンも併せて図れるようになる。
【００１２】
また、請求項２に記載の発明によれば、凸状部と凹溝部との凹凸嵌合部において別のリブと溝とをもって相互に嵌合させるようにしたので、分割端面同士の突き合わせ面での位置決め効果もしくは仮止め効果が発揮されて、両者の相対位置決め精度が一段と向上する。
【００１３】
請求項３に記載の発明によれば、貫通穴の開口縁部に引っ掛かる係止部を凸状部に形成したので、分割端面同士の突き合わせ状態を維持するための位置決め効果もしくは仮止め効果がさらに一段と向上するとともに、凸状部と貫通穴とのはめ合わせ部での嵌合保持力も一段向上する。
【００１４】
請求項４に記載の発明によれば、凸状部と凹溝部との凹凸嵌合部において別の補強柱部と切欠部とを噛み合わせるようにしたので、特に凹溝部の変形による口開きを未然に防止できるとともに、突き合わせ部における長手方向での相対位置ずれを未然に防止できるようになる。
【００１５】
請求項５に記載の発明によれば、凸状部のうち貫通穴に臨む部分をブーツ本体の外表面に接着剤にて固定するようにしたので、その接着固定を外部から目視確認しながら行うことができ、作業性の改善と固定保持力の信頼性向上が図れるようになる。
【００１６】
また、請求項６に記載の発明によれば、上記の接着剤に代えて両面接着テープもしくは面ファスナーを用いたことにより、固定作業の作業性改善の上で一段と有利となる。
【００１７】
【発明の実施の形態】
図１〜５は本発明の好ましい実施の形態を示す図であり、先に述べた自動車の等速ジョイント用分割式ブーツの例を示している。
【００１８】
図１に示すように、ブーツ１の主体となるブーツ本体２は、ゴムあるいは樹脂等の可撓性材料をもってその小径開放端部３から大径開放端部４側に向かって漸次その直径が大きくなる蛇腹状のものとして形成されている。そして、拡径方向に口開きさせることができるように軸心方向に延びる単一の分割面５をもって分割されているとともに、分割面５となるべき双方の分割端面５ａ，５ｂ同士を互いに突き合わせることができるようになっている。
【００１９】
一方の分割端面５ａには間歇的に複数の切欠部６，６…を形成した舌片状の凸状部７が長手方向に沿って形成されていて、それに対応する他方の分割端面５ｂには連続した凹溝部８が長手方向に沿って形成されている。これにより、双方の分割端面５ａ，５ｂ同士を突き合わせたときには図２に示すように凸状部７と凹溝部８が互いに噛み合うようにして凹凸嵌合することになる。そして、図３に示すように凸状部７の表面のうち長手方向の複数箇所にはリブ９が、凹溝部８の内周面にはそのリブ９に対応する溝１０がそれぞれ形成されていて、凸状部７と凹溝部８を凹凸嵌合させたときには同時にリブ９と溝１０が凹凸嵌合することになる。このリブ９と溝１０との凹凸嵌合による相対位置決めをもって、双方の分割端５ａ，５ｂ面同士の突き合わせ状態での仮止め効果もしくは抜け止め効果が発揮される。
【００２０】
図１のほか図５に示すように、凹溝部８のうち蛇腹部の山部（頂部）に相当する部分ではその底面側が外部に開口していて、実質的に凹溝部８の一部が貫通穴１１となっている。同時に、凹溝部８のうち切欠部６に相当する部分では図４に示すように局部的にその溝深さが小さくなるように設定されていて、その部分には補強柱部１２が形成されている。したがって、上記のように双方の分割端面５ａ，５ｂ同士の突き合わせをもって凸状部７と凹溝部８とを凹凸嵌合させたときには、図１の（Ｂ）に示すように貫通穴１１に相当する部分では凸状部７の一部がその貫通穴１１から外部に突出し、同時に図４に示すように切欠部６と補強柱部１２との凹凸嵌合によって長手方向での相対位置決めがなされることになる。
【００２１】
ここで、図１の（Ｂ）に示すように凸状部７のうち貫通穴１１に相当する部分には係止部としての係止突起１３が形成されていて、貫通穴１１に対して凸状部７の一部が挿入された状態では係止突起１３が貫通穴１１の開口縁部に引っ掛かってその抜け止め効果が発揮される。
【００２２】
したがって、本実施の形態によれば、分割面５をもってブーツ１を一旦口開きさせた上で図示外の等速ジョイントを包み込むようにしてその等速ジョイントの外側に装着する。そして、分割面５を形成することになる分割端面５ａ，５ｂのいずれか一方もしくは双方に所定の接着剤を塗布する。接着剤が塗布されたならば、図２に示すように凸状部７と凹溝部８とを凹凸嵌合させるようにして双方の分割端面５ａ，５ｂ同士を突き合わせる。これにより、図１の（Ｂ）に示すように凸状部７のうち貫通穴１１に相当する部分ではその凸状部７の一部が貫通穴１１に挿入されて外部に突出するかたちとなる。
【００２３】
この状態では、一般部での凹凸嵌合は図２の形態となるのに対して、図３のようにリブ９と溝１０とが設定された部位ではその両者も凹凸嵌合して相対位置決めがなされる。同時に、図１の（Ｂ）に示すように凸状部７のうち貫通穴１１に相当する部分に設定された係止突起１３が貫通穴１１の開口縁部に引っ掛かるようになる。これにより、双方の分割端面５ａ，５ｂ同士の突き合わせ部での抜け止め効果もしくは仮止め効果が発揮されて、接着剤が硬化するまでその突き合わせ状態を自己保持することができる。
【００２４】
さらに、図４に示すように切欠部６と補強柱部１２が設定された部位ではその両者が凹凸嵌合することから、これによって、特に分割端面５ａ，５ｂ同士の突き合わせ部での長手方向の相対位置決めがなされて、その長手方向での位置ずれが防止される。加えて、補強柱部１２はその凹溝部８を形成している双方の壁面同士を凹溝部８の底面側にて連結する役目をしていることから、凸状部７と凹溝部８との凹凸嵌合による凹溝部８のいわゆる口開きが防止される。
【００２５】
そして、図１の（Ｂ）に示すように凸状部７に設定された係止突起１３が貫通穴１１の開口縁部に引っ掛かっているのを確認した上で、その凸状部７の露出部位に瞬間接着剤等の速乾性のある接着剤Ｓを塗布して、凸状部７をブーツ本体２の外表面に接着固定する。これにより、双方の分割端面５ａ，５ｂ同士の突き合わせ部に介在している接着剤が硬化していない状態であっても、その接着剤が硬化するまで正規の突き合わせ状態を確実に自己保持することができるようになる。
【００２６】
なお、上述の通り、接着剤Ｓは凸状部７を貫通穴１１に挿入した後に塗布するため、速乾性のものであっても途中で硬化してしまうといった組付作業上の問題はない。
【００２７】
図６は本発明の第２の実施の形態を示す図で、同図（Ａ）は貫通穴１１から突出した凸状部７を接着剤Ｓ（図１参照）にてブーツ本体２の外表面に固定するのに代えて、凸状部７の一部に予め離型紙（剥離紙）付きの両面接着テープ１４を貼着しておき、その凸状部７が貫通穴１１から突出したならば両面接着テープ１４の離型紙を剥がしてその両面接着テープ１４をもって凸状部７をブーツ本体２の外表面に接着固定するようにしたものである。また、同図（Ｂ）は上記の両面接着テープ１４に代えて雄側と雌側の組み合わせからなる面ファスナー１５（例えば、マジックテープ（登録商標））を用いて凸状部７を固定するようにしたものである。
【００２８】
この第２の実施の形態では、図１に示した第１の実施の形態に比べて、貫通穴１１から突出した凸状部７の固定手段として機能することになる両面接着テープ１４もしくは面ファスナー１５の取り扱い性が良好であることから、その固定作業の作業性を改善できる利点がある。
【図面の簡単な説明】
【図１】本発明の好ましい実施の形態を示す図で、（Ａ）は分割式ブーツの非突き合わせ状態での斜視図、（Ｂ）は同図（Ａ）の貫通穴に相当する部分での突き合わせ状態の断面図。
【図２】一般部における突き合わせ状態の断面図。
【図３】図２とは異なる位置での突き合わせ状態の断面図。
【図４】図１の切欠部に相当する位置での突き合わせ状態の断面図。
【図５】突き合わせ状態とした分割式ブーツの斜視図。
【図６】本発明の第２の実施の形態を示す図で、（Ａ），（Ｂ）ともに図１の（Ｂ）と同一箇所での断面図。
【符号の説明】
１…分割式ブーツ
２…ブーツ本体
５…分割面
５ａ…分割端面
５ｂ…分割端面
６…切欠部
７…凸状部
８…凹溝部
９…リブ
１０…溝
１１…貫通穴
１２…補強柱部
１３…係止突起（係止部）
１４…両面接着テープ
１５…面ファスナー
Ｓ…接着剤
【図１】
2004028166.tif 000003
【図２】
2004028166.tif 000004
【図３】
2004028166.tif 000005
【図４】
2004028166.tif 000006
【図５】
2004028166.tif 000007
【図６】
2004028166.tif 000008